(57)【特許請求の範囲】
【請求項１】
開口と開口縁を有するハウジングと、
前記ハウジングに対応し、第一位置と第二位置との間に移動されるベースであり、前記第一位置に位置した時、前記開口縁に接することで前記開口を覆い、前記第二位置に位置した時、前記開口縁と分離するベースと、
前記ハウジングと前記ベースとを連結することで、前記ベースが前記ハウジングに相対して移動される連結ユニットと、
ジョイントを有するワイヤと、を備え、
前記ワイヤが収納状態にあるとき、前記ワイヤは前記連結ユニットに巻きつけられ、
前記連結ユニットは連結柱と連結座を含み、前記連結柱は前記ベースの上に設けられ、前記連結座は前記ハウジングの内面に設けられ、前記連結柱はスライド可能な方式で前記連結座と接続し、
プッシング部材を更に含み、前記連結座は第一制限スロットと制限ブロックを含み、前記連結柱は第一アームを含み、前記ベースは前記第一位置に位置した時、前記制限ブロックは前記第一アームに接することで、前記連結柱を制限し、前記プッシング部材が前記第一アームに押した時、前記第一アームは力で変形したことによって前記制限ブロックと分離し、且つ前記第一制限スロットの中でスライドしたことで前記ベースを前記第二位置に向けて移動させ、
前記連結座は第二制限スロットを更に含み、前記連結柱は第二アームを更に含み、前記第二アームは前記第二制限スロットの中でスライドすることを特徴とする整線構造を有するマウス。
【請求項２】
弾性部材を更に含み、前記弾性部材は前記ハウジングと前記第二アームに接することを特徴とする請求項１に記載の整線構造を有するマウス。
【請求項３】
前記連結柱はリブを更に含み、前記ワイヤが前記収納状態にある時、前記ワイヤは前記連結柱の上に巻きつけ、且つ前記リブと前記ベースとの間に位置することを特徴とする請求項１に記載の整線構造を有するマウス。
【請求項４】
前記ハウジングはノッチを更に有し、前記開口縁に形成され、前記ワイヤが使用状態にある時、前記ワイヤは前記ノッチに接することを特徴とする請求項１に記載の整線構造を有するマウス。
【請求項５】
ジョイント固定部を更に含み、前記ジョイント固定部は前記ベースの上に設けられ、前記ワイヤが前記収納状態にある時、前記ジョイントは前記ジョイント固定部に係合することを特徴とする請求項１に記載の整線構造を有するマウス。
【発明の詳細な説明】
【技術分野】
【０００１】
本発明は、有線マウスに関し、特に、整線構造（wire arrangement structure）を有するマウスに関するものである。
【背景技術】
【０００２】
従来の有線マウスはマウス本体とワイヤを含み、ワイヤはマウス本体と電子装置（例えば、コンピューター）を接続する。公知技術において、有線マウスが使用されない時、或いは持ち運ばれる時、ワイヤはマウス本体の上に巻きつけられる。従来のワイヤ収納方式は、ワイヤのジョイントが固定されていないので、落ち易く、ユーザーが持ち運ぶのに不便をもたらす。
【発明の概要】
【発明が解決しようとする課題】
【０００３】
本発明の目的はワイヤを収容することができる整線構造（wire arrangement structure）を有するマウスを提供する。
【課題を解決するための手段】
【０００４】
本発明は公知技術の問題を解決するために、整線構造（wire arrangement structure）を有するマウスを提供する。マウスはハウジングと、ベースと、連結ユニット、及びワイヤを含み、ハウジングは開口と開口縁を有する。ベースはハウジングに対応し、ベースは第一位置と第二位置との間に移動する。ベースが第一位置に位置した時、ベースは開口縁に接することで開口を覆い、ベースが第二位置に位置した時、ベースは開口縁と分離する。連結ユニットはハウジングとベースを連結することで、ベースがハウジングに相対して移動することができる。ワイヤはジョイントを含み、ワイヤが収納状態にある時、ワイヤは連結ユニットに巻きつける。
【発明の効果】
【０００５】
本発明の実施態様を応用すると、ワイヤとジョイントはハウジングとベースにより構成されたチェンバーの中に適切に収納し固定されるので、ワイヤは落ちるという問題がなく、ユーザーが持ち運びに便利である。また、ワイヤの一部のみを連結柱に巻きつけることによって、マウスの外に露出するワイヤを減少することができる。
【図面の簡単な説明】
【０００６】
【図１Ａ】本発明第一実施例のマウスを示す図であり、ベースは第一位置に位置する。
【図１Ｂ】本発明第一実施例のマウスを示す図であり、ベースは第二位置に位置する。
【図１Ｃ】ワイヤをハウジングの中に収納した状態を示す図である。
【図２】第一アーム、制限ブロック、第一制限スロットの細部構造を示す図である。
【図３Ａ】本発明第二実施例のマウスを示す図であり、ベースは第一位置に位置する。
【図３Ｂ】本発明第二実施例のマウスを示す図であり、ベースは第二位置に位置する。
【発明を実施するための形態】
【０００７】
本発明についての目的、特徴、長所が一層明確に理解されるよう、以下に実施形態を例示し、図面を参照にしながら、詳細に説明する。
【実施例】
【０００８】
図１Ａ、図１Ｂを参照すると、本発明の第一実施例の整線構造（wire arrangement structure）を有するマウス１００を示している。マウス１００はハウジング１１０と、ベース１２０と、連結ユニット１３０、及びワイヤ１４０とを含み、ハウジング１１０は開口１１１と開口縁１１２を有する。ベース１２０はハウジング１１０に対応し、ベース１２０は第一位置（図１Ａに示す位置）と第二位置（図１Ｂに示す位置）との間に移動する。ベース１２０が第一位置に位置した時、ベース１２０は開口縁１１２に接することで開口１１１を覆い、ベース１２０が第二位置に位置した時、ベース１２０は開口縁１１２と分離することで開口１１１を開く。連結ユニット１３０はハウジング１１０とベース１２０を連結することで、ベース１２０がハウジング１１０に相対して移動することができる。ワイヤ１４０はジョイント１４１を含み、ワイヤ１４０が収納状態にある時、ワイヤ１４０は連結ユニット１３０に巻きつける。
【０００９】
連結ユニット１３０は連結柱１３２と連結座１３１を含み、連結柱１３２はベース１２０の上に設けられ、連結座１３１はハウジング１１０の内面に設けられ、連結柱１３２はスライド可能｛かのう｝な方式で連結座１３１と接続する。
【００１０】
連結座１３１は第一制限スロット１３１１と、第二制限スロット１３１２と、制限ブロック１３１３とを含む。連結柱１３２は第一アーム１３２１と第二アーム１３２２を含む。第一アーム１３２１は第一制限スロット１３１１の中でスライドし、ベース１２０は第一位置に位置した時、制限ブロック１３１３は第一アーム１３２１に接することで、連結柱１３２を制限する。ベース１２０が第二位置に向けて移動する時、第一アーム１３２１は力で変形したことによって、制限ブロック１３１３から分離し、且つ第一制限スロット１３１１の中でスライドする。第二アーム１３２２は第二制限スロット１３１２の中でスライドする。ベース１２０が第二位置に位置した時、第一アーム１３２１と第二アーム１３２２は第一制限スロット１３１１と第二制限スロット１３１２の底部にそれぞれ接する。
【００１１】
一つの実施例において、マウス１００は弾性部材１３３を更に含み、弾性部材１３３はハウジング１１０と第二アーム１３２２に接する。第一アーム１３２１はプッシング部材１１４によって押された力で変形した時、第一アーム１３２１は制限ブロック１３１３から分離すると同時に、弾性部材１３３は連結柱１３２とベース１２０を押すことで第二位置に向けて移動させる。
【００１２】
一つの実施例において、連結柱１３２はリブ１３２３を更に含み、ワイヤ１４０が収納状態にある時、ワイヤ１４０は連結柱１３２の上に巻きつけ、且つリブ１３２３とベース１２０との間に位置する。
【００１３】
ハウジング１１０はノッチ１１３を更に有し、開口縁１１２に形成され、ワイヤ１４０が使用状態にある時、ワイヤ１４０はノッチ１１３に接する。
【００１４】
マウス１００はジョイント固定部１５０（joint fixer）を更に含み、ジョイント固定部１５０はベース１２０の上に設けられ、ワイヤ１４０が収納状態にある時、ジョイント１４１はジョイント固定部１５０に係合する。
【００１５】
図１Ｃを参照すると、ワイヤ１４０をハウジング１１０の中に収納した状態を表し、この時、ベース１２０は第二位置に位置する。本発明の実施例を応用すると、ワイヤとジョイントはハウジング１１０とベース１２０により構成されたチェンバーの中に適切に収納し固定されるので、ワイヤは落ちるという問題がなく、ユーザーが持ち運びに便利である。また、ワイヤの一部のみを連結柱１３２に巻きつけることによって、マウスの外に露出するワイヤを減少することができる。
【００１６】
図２は第一アーム１３２１と、制限ブロック１３１３と、第一制限スロット１３１１の細部構造を表している。図に示すように、連結柱１３２と連結座１３１はいずれも円柱状である。
【００１７】
図３Ａ、図３Ｂを参照すると、本発明の第二実施例の整線構造を有するマウス１００’を開示している。マウス１００’はハウジング１１０と、ベース１２０と、ワイヤ１４０とを含み、ハウジング１１０は開口１１１と、開口縁１１２と、連結座１３１’とを有する。ベース１２０は連結柱１３２’を有し、連結柱１３２’は取り外し可能な方式で連結座１３１’に接続し、ベース１２０はハウジング１１０に対応し、連結柱１３２’が連結座１３１’に係合した時、ベース１２０は開口縁１１２に接することで開口１１１を覆い、連結柱１３２’が連結座１３１’と分離した時、ベース１２０は開口縁１１２から離れる。ワイヤ１４０はジョイント１４１を含み、ワイヤ１４０が収納状態にある時、ワイヤ１４０は連結柱１３２’に巻きつけられている。
【００１８】
第一実施例と同じように、連結柱１３２’はリブ１３２３を更に含み、ワイヤ１４０が収納状態にある時、ワイヤ１４０は連結柱１３２’の上に巻きつけられ、且つリブ１３２３とベース１２０との間に位置する。
【００１９】
本発明の第二実施例のマウス１００’の特徴は、連結柱１３２’が取り外し可能な方式で連結座１３１’と接続することである。第一実施例と第二実施例はいずれも開口１１１を開くことによって、ワイヤとジョイントがハウジング１１０とベース１２０により構成されたチェンバーの中に適切に収納し固定することができる。
【００２０】
以上、本発明の好適な実施例を例示したが、図または実施例の説明では、類似または同一の部分は、同一の符号を用いている。また、図では、実施例の形状または厚さは拡大することができ、表示を簡易化することができる。また、図中の各構成要素の部分はそれぞれ説明されるが注意するのは、これは本発明を限定するものではなく、本発明の精神及び範囲を逸脱しない限りにおいては、当業者であれば行い得る少々の変更や修飾を付加することが可能である。従って、本発明が請求する保護範囲は、特許請求の範囲を基準とする。
【符号の説明】
【００２１】
１００、１００’   マウス
１１０  ハウジング
１１１  開口
１１２  開口縁
１１３  ノッチ
１１４  プッシング部材
１２０  ベース
１３０  連結ユニット
１３１、１３１’ 連結座
１３１１  第一制限スロット
１３１２  第二制限スロット
１３１３  制限ブロック
１３２、１３２’連結柱
１３２１  第一アーム
１３２２  第二アーム
１３２３  リブ
１３３  弾性部材
１４０  ワイヤ
１４１  ジョイント
１５０  ジョイント固定部
【図１Ａ】
0005270699.tif 000002
【図１Ｂ】
0005270699.tif 000003
【図１Ｃ】
0005270699.tif 000004
【図２】
0005270699.tif 000005
【図３Ａ】
0005270699.tif 000006
【図３Ｂ】
0005270699.tif 000007